(57)【特許請求の範囲】
【請求項１】
左右両側に配置された一対の縦フレームと、該両縦フレーム間に上下に配置連結された上側及び下側の一対の横フレームと、前記左右の縦フレームの各下端部にそれぞれ配置された脚部材と、前記連結された各縦横フレームによって構成された枠部材の内側に張られたシート状あるいはネット状の膜張り部材と、を有し、
前記両縦フレームは、各上端部の各端縁に有する各開口端から内部軸方向に沿った挿通孔がそれぞれ形成され、
前記各縦フレームの各挿通孔に、上下方向の高さを調節可能な第１高さ調節部材が挿脱可能にそれぞれ設けられ、
前記両縦フレームは、軸方向の所定位置に高さ調節用の位置決め孔が前記各縦フレームの軸直角方向に沿って貫通形成され、
前記各第１高さ調節部材は、上下方向の所定の間隔位置に前記位置決め孔に適宜合致する複数の高さ調節孔が貫通形成され、
前記位置決め孔と予め選択されたいずれか一つの前記高さ調節孔とを合致させた状態で、前記位置決め孔と高さ調節孔に位置決め用ボルトを挿入して、前記両縦フレームから上方へ突出した両第１高さ調節部材の高さを調節可能とし、
前記両縦フレームの各挿通孔の内部に、該各挿通孔の中心を径方向から横切る仕切り板が設けられ、前記各挿通孔が前記各仕切り板によって縦方向からそれぞれ二分割されて２つの分割孔が設けられ、
前記一方の各分割孔に各第１高さ調節部材がそれぞれ挿脱可能に設けられ、他方の各分割孔に第２高さ調節部材がそれぞれ挿脱可能に設けられていることを特徴とする多機能フェンス。
【請求項２】
請求項１に記載の多機能フェンスであって、
前記位置決め用ボルトの基端部に、前記ボルトの連れ回りを規制する回り止め部材が設けられており、
前記回り止め部材は、前記各縦フレームの周壁の外面に軸方向に沿って配置される細長いプレート状の本体と、該本体の長手方向の一端部内面に設けられて、前記各縦フレームの周壁に形成された係止部に前記周壁の径方向から係入する突起部と、を有し、前記本体の長手方向の他端部内面に、前記位置決め用ボルトの軸方向の一端部が前記突起部と平行に固定されていることを特徴とする多機能フェンス。
【請求項３】
請求項１に記載の多機能フェンスであって、
前記各第１高さ調節部材のそれぞれの上端に、前記一方の分割孔の開口端の孔縁に当接して前記開口端を閉塞する蓋部が設けられていることを特徴とする多機能フェンス。
【請求項４】
請求項３に記載の多機能フェンスであって、
前記各第１高さ調節部材は、縦方向に長い金属プレートによって形成されて、幅方向のほぼ中心位置でかつ長手方向の等間隔位置に、前記位置決め用ボルトが挿入される前記複数の高さ調節孔が貫通形成されていることを特徴とする多機能フェンス。
【請求項５】
請求項１に記載の多機能フェンスであって、
前記各第２高さ調節部材は、上下方向に長く形成された基体と、該基体の長手方向の上端部に設けられたピンを介して前記基体に対して折り畳み回転可能に設けられたネット支持部と、を有し、
前記基体に対して前記ネット支持部が折り畳まれた状態で前記他方の分割孔に挿入配置され、使用時には、前記他方の分割孔の一方から取り出した状態で前記ネット支持部を展開して一本状に伸長し、伸長されたネット支持部の軸方向の一端部を前記他方の分割孔の一方に挿入して固定したことを特徴とする多機能フェンス。
【発明の詳細な説明】
【技術分野】
【０００１】
本発明は、例えば体育館内で行われる多種の球技プレーの仕切りや防球の目的として用いられるフェンス(防球フェンス)を、例えば、災害時における被災者などのベッドとして用いることが可能な多機能フェンスに関する。
【背景技術】
【０００２】
体育館や屋内運動場、屋内競技場などで競技する卓球などの球技プレーの防球フェンスとしては、従来から種々提供されており、その一つとして、以下の特許文献１に記載されたものがある。
【０００３】
この防球フェンスは、卓球用防球フェンスであって、上下左右のフレームで囲まれた四角形状の枠体と、該枠体の下フレームに備えられ該枠体を垂直に立たせる脚部と、前記枠体を覆う防球膜とを備え、卓球台を囲むように複数台を並べて設置されている。
【０００４】
また、前記枠体の左右のフレームに添う縦方向の辺部と、前記枠体の上下のフレームに添う横方向の辺部からなるＬ形状で、前記枠体の角部に着脱自在に装着されるＬ型のコーナ部材を有している。このコーナ部材における前記縦方向の辺部に開口部を設け、該開口部に磁石が取り外し可能の装着されており、隣り合わせる防球フェンス同士における隣接する左右のフレームの相対向する位置に配された前記磁石同士の磁力によって、該隣り合わせる防球フェンス同士が着脱自在に連結されるようになっている。
【先行技術文献】
【特許文献】
【０００５】
【特許文献１】特許第３７１８３０号公報(図１)
【発明の概要】
【発明が解決しようとする課題】
【０００６】
しかしながら、前記従来の防球フェンスにあっては、前述したように、磁石の磁力によって隣接する防球フェンス同士を着脱自在に連結されるようになっているものの、各防球フェンスを、転がり玉や流れ玉などを防ぐ防球以外の他の目的で利用することまでは考えられていない。
【０００７】
本発明は、前記従来の防球フェンスの技術的課題に鑑みて案出されたもので、例えば体育館などでの通常の球技のボールの防球として使用される防球フェンスを、災害時などには、枠部材を倒して脚部を組み替えることによりベッドとして利用可能な多機能フェンスを提供することを目的としている。
【課題を解決するための手段】
【０００８】
本発明は、左右両側に配置された一対の縦フレームと、該両縦フレーム間に上下に配置連結された上側及び下側の一対の横フレームと、前記左右の縦フレームの各下端部にそれぞれ配置された脚部材と、前記連結された各縦横フレームによって構成された枠部材の内側に張られたシート状あるいはネット状の膜張り部材と、を有し、
前記両縦フレームは、各上端部の各端縁に有する各開口端から内部軸方向に沿った挿通孔がそれぞれ形成され、
前記各縦フレームの各挿通孔に、上下方向の高さを調節可能な第１高さ調節部材が挿脱可能にそれぞれ設けられ、
前記両縦フレームは、軸方向の所定位置に高さ調節用の位置決め孔が前記各縦フレームの軸直角方向に沿って貫通形成され、
前記各第１高さ調節部材は、上下方向の所定の間隔位置に前記位置決め孔に適宜合致する複数の高さ調節孔が貫通形成され、
前記位置決め孔と予め選択されたいずれか一つの前記高さ調節孔とを合致させた状態で、前記位置決め孔と高さ調節孔に位置決め用ボルトを挿入して、前記両縦フレームから上方へ突出した両第１高さ調節部材の高さを調節可能とし、
前記両縦フレームの各挿通孔の内部に、該各挿通孔の中心を径方向から横切る仕切り板が設けられ、前記各挿通孔が前記各仕切り板によって縦方向からそれぞれ二分割されて２つの分割孔が設けられ、
前記一方の各分割孔に各第１高さ調節部材がそれぞれ挿脱可能に設けられ、他方の各分割孔に第２高さ調節部材がそれぞれ挿脱可能に設けられているこことを特徴としている。
【発明の効果】
【０００９】
本発明にあっては、両縦フレームの一方の分割孔に設けられた第１高さ調節部材を上下に動かして一つの高さ調節孔を位置決め孔に合わせ、その後、位置決め孔と一つの高さ調節孔に位置決め用ボルトを挿入する。これによって、両第１高さ調節部材の高さ位置を、球技などの種類によって容易かつ確実に調節することが可能になる。
また、両縦フレームの他方の分割孔に設けられた第２高さ調節部材によって、該第２高さ調節部材の高さ位置を調節することにより、例えばバドミントンの練習用として利用することが可能になる。
【図面の簡単な説明】
【００１０】
【図１】本発明の多機能フェンスの実施形態に係る防球フェンスの正面図である。
【図２】本実施形態の防球フェンスの平面図である。
【図３】同防球フェンスの左側面図である。
【図４】本実施形態に供される一方の縦フレームと位置決め用ボルト及び回り止め部材の斜視図である。
【図５】本実施形態に供される一方の縦フレームに回り止め部材が取り付けられた状態を示す斜視図である。
【図６】本実施形態における一つの脚部の支持足と軸部及び梁部材を示す斜視図である。
【図７】一方の縦フレームに一つ脚部が取り付けられている状態を示す要部平面図である。
【図８】(ａ)は一方の縦フレームに一つ脚部が取り付けられている状態を示す要部左側面図、(ｂ)一方の縦フレームに一つ脚部が取り付けられている状態を示す平面図である。
【図９】本実施形態に供される第１高さ調節部材を示し、(ａ)は第１高さ調節部材の蓋部を上側に回転させた状態を示す正面図、(ｂ)は第１高さ調節部材の蓋部を下側に回転させた状態を示す正面図である。
【図１０】本実施形態に供される第１高さ調節部材の高さを複数段に調整する動作を透視した説明図であって、(ａ)は正面図、(ｂ)は側面図である。
【図１１】本実施形態の６枚の防球フェンスをテニスの練習用ネットとして用いた場合を示し、第１高さ調節部材によってネットの高さを替えた状態を示す正面図である。
【図１２】本実施形態に供される第２高さ調節部材が第２分割孔に収容された状態を透視して示す防球フェンスの側面図である。
【図１３】同第２高さ調節部材を示し、(ａ)は正面図、(ｂ)は左側面図である。
【図１４】同第２高さ調節部材を使用する動作と折り畳む動作を示す作用説明図である。
【図１５】同第２高さ調節部材を縦フレーム上に立ち上げた状態を示す左側面図である。
【図１６】本実施形態に供される防球フェンスをベッドへ組み替える過程を示す概略図である。
【図１７】同防球フェンスをベッドに組み替えた状態の左側面図である。
【図１８】同防球フェンスをベッドに組み替えた状態の正面図である。
【図１９】本実施形態に供される回り止めの部材などの他例を示し、一方の縦フレームと位置決め用ボルト及び回り止め部材の斜視図である。
【図２０】図１９に示す一方の縦フレームに回り止め部材が取り付けられた状態を示す斜視図である。
【発明を実施するための最良の形態】
【００１１】
以下、本発明に係る多機能フェンスの実施形態を図面に基づいて詳述する。
【００１２】
図１は本発明の多機能フェンスの実施形態に係る防球フェンスの正面図、図２は同防球フェンスの平面図、図３は同防球フェンスの左側面図、図４は本実施形態に供される一方の縦フレームと位置決め用ボルト及び回り止め部材を示す斜視図、図５は本実施形態に供される一方の縦フレームに回り止め部材が取り付けられた状態を示す斜視図である。
【００１３】
本実施形態に係る多機能フェンスは、例えば、体育館内に配置される防球フェンス（防球ネット）として適用されるもので、図１〜図５に示すように、左右両側に配置された一対の縦フレーム１１，１２と、該両縦フレーム１１、１２の間に上下に配置連結された下側横フレーム１３及び上側横フレーム１４と、前記左右の縦フレーム１１，１２の各下端部１１ａ、１２ａにそれぞれ配置され、それぞれ前記各縦フレーム１１，１２を中心に前後に分割形成された脚部１６、１７を有する左右一対の脚部材１５と、前記連結された各縦横フレーム１１〜１４によって構成された枠部材１０の内側に張られた膜張り部材である合成樹脂材からなるネット１８と、を有している。
【００１４】
なお、膜張り部材としては、ネットの他に可撓性のある合成樹脂材のシートなどであっても良い。
【００１５】
両縦フレーム１１，１２は、それぞれ例えば直径が約４９ｍｍ、高さが約８７ｃｍのパイプ状の鋼管によって形成され、それぞれの内部軸方向に挿通孔１９，２０がそれぞれ貫通形成されており、該各挿通孔１９，２０は、各下端部１１ａ、１２ａと各上端部１１ｂ、１２ｂの先端に各開口端が形成されている。また、両縦フレーム１１，１２は、各上端部１１ｂ、１２ｂの所定位置に後述する位置決め用ボルト３１が挿入される位置決め孔１１ｃ、１２ｃが径方向に貫通形成されている。
【００１６】
また、各上端部１１ｂ、１２ｂには、各挿通孔１９、２０の開口端の孔縁１９ｃ、２０ｃから軸方向(下方向)に沿って所定長さの係止部であるスリット１１ｄ、１２ｄがそれぞれ形成されている。この各スリット１１ｄ、１２ｄは、後述する回り止め部材３３の突起部である規制片３３ｂが上方から嵌入可能になっている。
【００１７】
両横フレーム１３，１４は、同じく直径が約４９ｍｍで、横長さが約２ｍのパイプ状の鋼管によって形成され、各両端部が各縦フレーム１１，１２の前記各挿通孔１９，２０を避けた上下端部の各対向側部に溶接によって連結されている。これら連結された各横フレーム１３，１４と各縦フレーム１１，１２によって、縦８７ｃｍ、横２ｍの横方向に長い矩形状の前記枠部材１０が構成されている。
【００１８】
各挿通孔１９，２０は、図４及び図５に示すように、横断面円形状に形成されていると共に、上下端部１１ａ〜１２ｂの各開口端から内部軸方向に仕切り板２１、２２が配置固定されている。この各仕切り板２１，２２は、鉄系金属の板材によって形成されて、各挿通孔１９，２０の中心を径方向から横切るように配置固定されている。したがって、各挿通孔１９、２０は、各内部が縦方向でそれぞれ二分割に形成されて、一方の第１分割孔１９ａ、２０ａと他方の第２分割孔１９ｂ、２０ｂがそれぞれ平面視、半円形状に形成されている。各仕切り板２１，２２は、各挿通孔１９，２０の内周面に溶接によって結合されていると共に、それぞれの長手方向の長さは各下端部１１ａ１２ａと各上端部１１ｂ、１２ｂの所定領域のみになっている。各仕切り板２１，２２は、各縦フレーム１１，１２の各上下端部１１ａ〜１２ｂを補強する補強リブとしての機能も有している。
【００１９】
なお、仕切り板２１、２２は、その長手方向の長さを下端部１１ａ、１２ａから上端部１１ｂ、１２ｂまで通して設けることも可能である。そうすれば、各縦フレーム１１，１２全体の補強強度を高くすることが可能になる。
【００２０】
図６は本実施形態における一つの脚部の支持足と軸部及び梁部材を示す斜視図、図７は一方の縦フレームに一つ脚部が取り付けられている状態を示す要部平面図、図８の(ａ)は一方の縦フレームに一つ脚部が取り付けられている状態を示す要部左側面図、(ｂ)一方の縦フレームに一つ脚部が取り付けられている状態を示す平面図である。
【００２１】
各脚部材１５のそれぞれの脚部１６，１７は、図１〜図３に示すように、前記ネット１８に対して直角方向の各縦フレーム１１，１２の前後方向に延出して体育館の床面Ｆに載置される前後各一対の第１支持足１６ａ、１７ａ及び第２支持足１６ｂ、１７ｂと、該各支持足１６ａ〜１７ｂの対向端部に設けられて、各下端部１１ａ、１２ａの各第１分割孔１９ａ、２０ａにそれぞれが挿脱可能に挿入される各一対の第１軸部１６ｃ，１７ｃと第２軸部１６ｄ、１７ｄと、を有している。
【００２２】
第１支持足１６ａ、１７ａと第２支持足１６ｂ、１７ｂは、図６にも示すように、前後方向に細長い鉄系金属の角パイプ材によって形成されていると共に、それぞれ下面が床面Ｆに安定に当接するように平坦状に形成されている。
【００２３】
また、該各支持足１６ａ〜１７ｂは、それぞれの先端部に床面Ｆの傷付きや衝撃などを抑制するキャップ２３が取り付けられている。この各キャップ２３は、ゴム材あるいは合成樹脂材によって矩形カップ状に形成されて、各支持足１６ａ〜１７ｂの各先端部を着脱可能に被嵌している。
【００２４】
各支持足１６ａ〜１７ｂの長手方向の上面ほぼ中央位置と下側横フレーム１３の上面の所定位置との間には、補強用の左右各一対の梁部材２４がそれぞれＶ字形状に配設されている。この梁部材２４は、図２，図６，図７に示すように、金属材で細長く形成され、長手方向の一端部２４ａが各支持足１６ａ〜１７ｂの平坦な上面にカラーパイプを介して六角ボルト４０によって回転可能に結合されている。一方、他端部２４ｂは、下側横フレーム１３の下面に図外の根角ボルトによって結合されている。この各梁部材２４によって各支持足１６ａ〜１７ｂが下側横フレーム１３に強固に連結されている。なお、この連結方法は、これらに限定されるものではなく、例えば通常のボルト、ナットなどを用いて連結することも可能である。
【００２５】
各軸部１６ｃ〜１７ｄは、鉄系金属のパイプよって形成され、図８(ａ)にも示すように、各下端部が各支持足１６ａ〜１７ｂの対向端部の各上面から垂直方向に所定長さをもって延出している。なお、各軸部１６ｃ〜１７ｄは、各支持足１６ａ〜１７ｂの対向端部の各上面に溶接によってそれぞれ結合されている。
【００２６】
また、各軸部１６ｃ〜１７ｄは、図６に示すように、横断面が前記第１分割孔１９ａ、２０ａに対応して半円形状に形成されており、断面積は第１分割孔１９ａ、２０ａよりも僅かに小さく形成されて、該各第１分割孔１９ａ、２０ａに軸方向から挿脱可能に挿入されている。
【００２７】
また、各軸部１６ｃ〜１７ｄは、図６に示すように、各上端開口が半円状の鉄系金属板からなる各蓋部２５によってそれぞれ閉塞されている。この各蓋部２５は、各軸部１６ｃ〜１７ｄの上端開口の孔縁に溶接によって固定されており、これにより、各軸部１６ｃ〜１７ｄの上端開口周辺の剛性が確保されている。
【００２８】
図９は本実施形態に供される第１高さ調節部材を示し、(ａ)は第１高さ調節部材の蓋部を上側に回転させた状態を示す正面図、(ｂ)は第１高さ調節部材の蓋部を下側に回転させた状態を示す正面図である。図１０は本実施形態に供される第１高さ調節部材の高さを複数段に調整する動作説明図であって、(ａ)は正面図、(ｂ)は側面図、図１１は本実施形態の６枚の防球フェンスをテニスの練習用ネットとして用いた場合を示し、第１高さ調節部材によってネットの高さを替えた状態を示す正面図である。
【００２９】
各縦フレーム１１，１２の各第１分割孔１９ａには、該各第１分割孔１９ａから上方へ伸縮して縦フレーム１１，１２の上下方向の高さを調節可能な一対の第１高さ調節部材２６、２６が挿脱可能、つまり収納あるいは引き出し可能に設けられている。
【００３０】
一方、各第２分割孔２０ａには、後述するように、同じく該各第２分割孔２０ａから上方へ伸縮して縦フレーム１１，１２の上下方向の高さを調節可能な一対の第２高さ調節部材２７，２７が挿脱可能、つまり、収納あるいは引き出し可能に設けられている。
【００３１】
一対の第１高さ調節部材２６は、例えばテニス用の練習ネットを張設するためのものであって、図９(ａ)(ｂ)に示すように、縦方向に長い金属プレートによって形成され、図１中、上端部から下端部付近までの均一な幅長さＷが第１分割孔１９ａの直径長さよりも僅かに小さく形成されていると共に、下端部が第１分割孔１９ａ内へ良好な挿入性を得るために先細り状に形成されている。
【００３２】
第１高さ調節部材２６は、幅方向のほぼ中心位置でかつ長手方向の等間隔位置に４つの高さ調節孔２６ａ、２６ｂ、２６ｃ、２６ｄが貫通形成されている。また、最上端に位置する高さ調節孔２６ａのさらに上方の位置には、第１高さ調節部材２６が第１分割孔１９ａ内に収容された所定の位置で、位置決め用ボルト３１が挿入されて位置決め固定されるための一つの固定用孔２８が貫通形成されている。また、第１高さ調節部材２６は、上端部に幅方向の左右位置に一対の小孔２９が貫通形成されている。この各小孔２９は、ネット１８の左右いずれかの端部を固定する細い端末ロープを挿入して縛るためのものである。
【００３３】
また、第１高さ調節部材２６は、上端部に第１分割孔１９ａの開口端を閉塞する金属板からなる蓋部３０が設けられている。この蓋部３０は、図２、図９に示すように、第１分割孔１９ａの形状に対応して半円状に形成されていると共に、該蓋部３０の直線部の中央位置にＬ字形プレート状の腕部３０ａが一体に設けられている。この腕部３０ａは、両小孔２９、２９の間に設けられたピン３０ｂによって回転(反転)可能に支持されており、このピン３０ｂを介して蓋部３０が第１高さ調節部材２６の上端部に上下位置に回転保持可能に設けられている。
【００３４】
つまり、蓋部３０は、上側の回転位置で使用位置となり、下側の回転位置で小孔２９，２９を使用可能とするものである。また、この蓋部３０は、第１高さ調節部材２６を第１分割孔１９ａ内に収容するために開口端側から挿入した際に、外周部の下面周縁が開口端の孔縁１９ｃに当接してそれ以上の挿入を規制するストッパとして機能する。また、この蓋部３０が開口端の孔縁１９ｃに当接した時点で、各縦フレーム１１，１２のそれぞれの位置決め孔１１ｃ、１２ｃが、各第１高さ調節部材２６のそれぞれの固定用孔２８に径方向から合致するようになっている。
【００３５】
前記位置決め用ボルト３１は、図４に示すように、各位置決め孔１１ｃ、１２ｃと各高さ調節孔２６ａ〜２６ｄ及び固定用孔２８に挿入貫通して先端部の雄ねじ３１ｂに蝶ナット３２が締結される際の回り止めとなる回り止め部材３３を一体に有している。
【００３６】
回り止め部材３３は、図４及び図５に示すように、上下方向に細長い均一幅の金属プレート状の本体３３ａと、該本体３３ａの長手方向の上端部の内側面に溶接固定されて、スリット１１ｄ、１２ｄに上下方向から挿脱可能な突起部である規制片３３ｂと、を有している。前記本体３３ａは、長手方向の下端部の内側面に前記位置決め用ボルト３１の基端部(頭部)３１ａが溶接などによって一体に結合されている。したがって、位置決め用ボルト３１は、植設ボルト状になっている。規制片３３ｂは、金属プレートによって本体３３ａの上端部の内側面に沿って延びた矩形状に形成されて、その肉厚幅が前記スリット１１ｄ、１２ｄの幅よりも僅かに小さく形成されている。
【００３７】
図１２は本実施形態に供される第２高さ調節部材が第２分割孔に収容された状態を透視して示す防球フェンスの側面図、図１３は同第２高さ調節部材を示し、(ａ)は正面図、(ｂ)は左側面図、図１４は同第２高さ調節部材を使用する動作と折り畳む動作を示す作用説明図、図１５は同第２高さ調節部材を縦フレーム上に立ち上げた状態を示す左側面図である。
【００３８】
第２高さ調節部材２７は、例えばバトミントン用の練習ネットを張設するためのものであって、図１２，図１３に示すように、上下方向に長く形成された基体３４と、該基体３４の長手方向の一端部３４ａに設けられたピン３６を介して基体３４に対して折り畳み回転可能なネット支持部３５と、を有している。
【００３９】
基体３４は、細長い金属板によって形成され、長手方向の一端部３４ａにピン３６が挿入される図外のピン孔を有すると共に、他端部３４ｂには第２分割孔１９ｂ(２０ｂ)に挿入可能な半円プレート状の第２蓋部３４ｃが一体に設けられている。また、基体３４は、第２蓋部３４ｃを含む幅長さＷ１が半円状の第２分割孔１９ｂ(２０ｂ)の内径よりも小さく形成されている。また、基体３４は、他端部側に前記位置決め用ボルト３１の先端部(雄ねじ３１ｂ)が挿入される位置決め孔３４ｄが貫通形成されている。なお、第２蓋部３４ｃは、図１２に示すように、第２高さ調節部材２７を第２分割孔１９ｂ(２０ｂ)に挿入した際に、第２分割孔１９ｂ(２０ｂ)の開口端の孔縁に当接することなく、単に前記開口端の上側に配置されて、塵などの進入を防ぐようになっている。
【００４０】
ネット支持部３５は、金属材によって基体３４よりも細長い棒板状に形成されて、先端部にバドミントン用の練習ネットの端末ロープを巻回して牽引するためのローラ３７が回転可能に設けられている。また、ネット支持部３５の後端部には、金属板材を半円状に折曲した保持部３８が設けられている。この保持部３８は、軸方向へ所定長さを有し、半円形状の外周面が第２分割孔１９ｂ(２０ｂ)の半円形の内周面に軸方向から摺接可能に形成されており、第２分割孔１９ｂ（２０ｂ）に収容される際にガイド作用と保持作用を発揮するようになっている。
【００４１】
ネット支持部３５は、ピン孔とローラ３７の間の両側部に端末ロープを掛け回して固定する上下一対のフック部３９ａ、３９ｂがそれぞれ設けられていると共に、ローラ３７の近傍には、基体３４に対してネット支持部３５が折り畳まれた際に、前記第２位置決め孔と合致する第３位置決め孔３５ａが貫通形成されている。
【００４２】
また、ネット支持部３５は、後端部寄りのほぼ中央位置に形成された図外のピン孔に挿入された前記ピン３６を中心に基体３４に対して回転しつつ重合状態に折り畳まれるようになっている。つまり、ネット支持部３５は、図１４に示すように、基体３４に対してピン３６を中心に回転可能に支持されて、使用時には、図１４のａ矢印に示す方向へ回転させて立ち上げられて(伸長して)ローラ３７を最上位に配置し、不使用時には、ｂ矢印に示す方向へ回転させて基体３４に重ね合わされて折り畳まれるように形成されている。
【００４３】
そして、第２高さ調節部材２７の使用時には、図１５に示すように、ネット支持部３５が伸長された状態で、基体３４とネット支持部３５の保持部３８が第２分割孔１９ｂ(２０ｂ)内に挿入保持された状態で、前記位置決め用ボルト３１と蝶ナット３２によって締結固定されるようになっている。
【００４４】
一方、第２高さ調節部材２７の不使用時は、図１２に示すように、基体３４に対してネット支持部３５が折り畳まれて重合状態になっている状態で、第２高さ調節部材２７全体がネット支持部３５の保持部３８側から第２分割孔１９ｂ(２０ｂ)内に挿入されて内部に収容保持されるようになっている。なお、このとき、各第２高さ調節部材２７は、各回り止め部材３３の位置決め用ボルト３１と蝶ナット３２の締結により第２分割孔１９ｂ(２０ｂ)内に安定に保持されるようになっている。
〔本実施形態の多機能フェンスをベッドとして使用する場合の作用効果〕
以上のように構成された本実施形態の多機能フェンスは、例えば体育館内などにおいて通常の防球フェンス１として使用する場合は、図１に示すように、各縦フレーム１１，１２と各横フレーム１３，１４によって予め構成された枠部材１０の内側にネット１８を張設しておく。
【００４５】
また、各縦フレーム１１、１２の各下端部１１ａ、１２ａ側の各第１、第２分割孔１９ａ、１９ｂに前後各一対の脚部１６，１７の軸部１６ｃ、１６ｄ、１７ｃ、１７ｄを挿入して左右一対の脚部材１５、１５によって枠部材１０を床面Ｆ上に起立状態に支持する。
【００４６】
また、各梁部材２４は、各一端部２４ａを各脚部１６，１７の支持足１６ａ〜１７ｂの上面に六角ボルト４０によってそれぞれ固定する一方、各他端部２４ｂを下側の横フレーム１３の両端部の下面に蝶ねじなどによって固定する。これにより、各脚部材１５，１５と下側の横フレーム１３との間には、各梁部材２４がＶ字形状に架け渡されることから、両者の結合剛性が高くなる。
【００４７】
したがって、枠部材１０全体が各梁部材２４によって各脚部材１５，１５と下側横フレーム１３との結合剛性が高くなることから全体の剛性が高くなって、床面Ｆ上に安定した起立状態を維持できる。
【００４８】
よって、多機能フェンスを、単独あるいは複数並べて体育館内で防球フェンス１として使用に供されることになる。
【００４９】
図１６は本実施形態に供される防球フェンスをベッドへ組み替える過程を示す概略図、図１７は同防球フェンスをベッドに組み替えた状態の左側面図、図１８は同防球フェンスをベッドに組み替えた状態の正面図である。
【００５０】
また、この防球フェンス１を、災害時における被災者用のベッドとして使用する場合には、まず、図１に示す防球フェンス１の使用状態から、図１６に示すように、枠部材１０を一方向へ倒して各縦フレーム１１，１２の下端部１１ａ、１２ａの各脚部１６、１７の上側に位置する一方側の支持足１６ａ、１７ａの各軸部１６ｃ、１７ｃを図１６の矢印ｘで示すように各第１分割孔１９ａ、２０ａからそれぞれ引き抜く。
【００５１】
その後、引き抜かれた一方側の支持足１６ａ、１７ａを持って、矢印ａに示すように各縦フレーム１１、１２の上端部１１ｂ、１２ｂ側に移動させて、一方側の軸部１６ｃ、１７ｃを第２分割孔１９ｂ、２０ｂに奥まで挿入する。そうすると、各縦フレーム１１，１２の上端部１１ｂ、１２ｂのそれぞれに各支持足１６ａ、１７ａと各軸部１６ｃ、１７ｃ装着される。
【００５２】
次に、枠部材１０を水平位置に戻すと、図１７及び図１８に示すように、該枠部材１０は、四隅が各脚部１６、１７の４つの支持足１６ａ、１７ａ、１６ｂ、１７ｂの長手方向の先端部(キャップ２３)が床面Ｆ上に当接することによって支持されてベッドとして使用することが可能になる。
【００５３】
このとき、各梁部材２４は、一端部２４ａが予め支持足１６ａ〜１７ｂに回転可能に連結されており、他端部２４ｂを上側横フレーム１４の所定位置に蝶ナットなどでそれぞれ締め付けて連結固定すると共に、一端部２４ａ側の六角ボルト４０をそれぞれ締め付け固定する。したがって、枠部材１０は、各梁部材２４を介して各脚部１６，１７に安定かつ強固に支持されて、安定したベッドとして有効に利用できる。
【００５４】
また、ベッドとして使用された多機能フェンスを前述した通常の防球フェンス１として使用する場合には、図１６の矢印ｂに示すように、各縦フレーム１１，１２の各上端部１１ｂ、１２ｂ側の各脚部１６、１７の各支持足１６ａ、１７ａを持ってそのまま各軸部１６ｃ、１７ｃを第２分割孔１９ａ、２０ａから引き抜いて取り外す。その後、引き抜かれた各軸部１６ｃ、１７ｃを、図１６の矢印ｙに示すように、当初の縦フレーム１１，１２の下端部１１ａ、１２ａ側の第１分割孔１９ａ、２０ａに奥まで挿入して戻せば、簡単に防球フェンス１として使用することが可能になる。
【００５５】
なお、前記通常の防球フェンス１の状態からベッドへの組み替え、あるいは、ベッドの状態から防球フェンス１への組み替え時には、枠部材１０を所定角度に傾ける、あるいは完全に倒して行う。
【００５６】
また、多機能フェンスを、前述のように防球フェンス１として使用している場合は、各縦フレーム１１，１２の上端部１１ｂ、１２ｂに有する第１、第２分割孔１９ａ、１９ｂ、２０ａ、２０ｂにそれぞれ第１高さ調節部材２６と第２高さ調節部材２７がそれぞれ収容されている。しかし、ベッドとして使用する場合には、少なくとも各第１高さ調節部材２６を、予め上端部１１ｂ、１２ｂ側の各分割孔１９ａ、２０ａからそれぞれ引き抜いて置く。この状態で各脚部１６，１７の一方の支持足１６ａ、１７ａを、各縦フレーム１１，１２の各上端部１１ｂ、１２ｂの各第１分割孔１９ａ、２０ａに挿入する。
【００５７】
以上のように、本実施形態の多機能フェンスは、単に縦フレーム１１，１２の下端部１１ａ、１２ａ側の各脚部１６，１７の一方の支持足１６ａ、１７ａを取り外して縦フレーム１１，１２の上端部１１ｂ、１２ｂ側の第１分割孔１９ａ、２０ａに挿入するだけで、防球フェンス１からベッドへと簡単に組み替えができる。したがって、例えば、災害時における被災者あるいは、競技中の選手の救急用のベッドとして使用することができるので利便性が高くなる。
【００５８】
しかも、防球フェンス１からベッドへの組み替え変更と、ベッドから防球フェンス１への組み替え変更が一方側の支持足１６ａ、１７ａを付け替えるだけで行うことができるので、これらの行業が極めて容易かつ簡単である。したがって、組み替え作業能率が高くなって、災害時や救急時などに速やかな対応が可能になる。
〔本実施形態の多機能フェンスをテニスの練習用ネットして使用する場合の作用効果〕
次に、多機能フェンスをテニスの練習用ネットとして使用する場合について説明する。練習用ネットとしては、通常は複数の防球フェンス１を床面Ｆ上に横方向へ直列に並べて使用するが、練習によっては単一の防球フェンス１のみで使用することもある。
【００５９】
以下では、説明の便宜上、一つの防球フェンス１における一つの第１高さ調節部材２６の高さ調整方法について説明する。
【００６０】
図１に示す防球フェンス１の二本の縦フレーム１１，１２中、右側の一つの縦フレーム１２側では、まず、回り止め部材３３の位置決め用ボルト３１の先端部から蝶ナット３２を取り外して、位置決め用ボルト３１を位置決め孔１２ｃ及び固定用孔２８から引き抜くと共に、規制片３３ｂもスリット１１ｄから一緒に引き抜く。これによって、縦フレーム１２から回り止め部材３３を取り外す。
【００６１】
次に、図１０(ａ)(ｂ)に示すように、蓋部３０を持って第１高さ調節部材２６を所望の高さ位置まで引き上げて、例えば、第２高さ調節孔２６ｂと縦フレーム１２の位置決め孔１２ｃを径方向から合致させる。この状態で、回り止め部材３３の位置決め用ボルト３１を、第２調節孔２４ｄと位置決め孔１２ｃに挿入すると共に、規制片３３ｂをスリット１１ｄ内に差し込む。
【００６２】
その後、位置決め用ボルト３１の露出した先端部の雄ねじ３１ｂに蝶ナット３２を締め付ければ、第１高さ調節部材２６が縦フレーム１２に固定支持される。次に、蓋部３０を、ピン３６を中心に反転させて各小孔２９を使用可能とし、この各小孔２９にテニス用のネットの一端側の端末ロープを牽引しながら結び付ける。
【００６３】
横方向に並べられた他の防球フェンス１の別異の縦フレーム１１の第１高さ調節部材２６も、同じ手順で高さを調整しつつ縦フレーム１１に固定支持されると共に、各小孔２９にテニス用ネットの他端側の端末ロープを牽引しながら結び付ければ、テニス用ネットの左右両端側の上端部を張設することができる。なお、テニス用ネットの左右両端側の下端部は、各端末ロープを例えば各縦フレーム１１，１２の上端部にそれぞれ結び付ければテニス用ネットを所定の高さ位置で張設することができる。なお、この場合、各防球フェンス１のそれぞれネット１８は、予め取り外しておく。
【００６４】
また、周知のように、テニス用ネットは、最も左右位置の高さが最大となり中央位置に行くにしたがって漸次低くなるように設定されている。したがって、本実施形態の防球フェンス１を利用して練習用ネットを設置する場合には、図１１に示すように、例えば６台の防球フェンス１を横方向に直列に並べて、両高さ調節部材２６，２６の高さを変えながら設置することが可能になる。すなわち、左右両端側の２つの防球フェンス１では、第１高さ調節部材２６の一番下の高さ調節孔２６ｄ、２６ｄが選択され、さらにその内側の２つの防球フェンス１では、第１高さ調節部材２６の下から２番目の高さ調節孔２６ｃ、２６ｃが選択される。さらにその内側の防球フェンス１では、左右縦フレーム１１，１２中、最も離間した左側と右側の縦フレーム１１，１２の第１高さ調節部材２６は下から３番目の高さ調節孔２６ｂ、２６ｂが選択され、さらに、前記最も内側で近接した左側と右側の縦フレーム１１，１２の第１高さ調節部材２６は下から４番目の高さ調節孔２６ａ、２６ａが選択される。
【００６５】
これによって、テニス用練習ネットの高さを任意に調節することが可能になる。
【００６６】
また、これらの各高さ調節孔２６ａ〜２６ｄは、防球フェンス１の台数や設置場所などによって自由に選択することが可能であり、例えば、防球フェンス１を４台で使用する場合や、中央部の２台を開けて左右２台の防球フェンス１で使用する場合なども、各高さ調節孔２６ａ〜２６ｄを自由に選択してネットの高さを任意に変更することが可能である。
【００６７】
各防球フェンス１をテニスの練習用ネットとして使用した後に、通常の防球フェンス１に変更する場合は、前述とは逆の方法、作業を行えば簡単に変更することが可能である。
〔本実施形態の多機能フェンスをバドミントンの練習用ネットして使用する場合の作用効果〕
次に、多機能フェンスをバドミントンの練習用ネットとして使用する場合について説明する。練習用ネットとしては、通常は複数の防球フェンス１を床面Ｆ上に横方向へ直列に並べて使用するが、練習によっては単一の防球フェンス１のみで使用することもある。
【００６８】
以下では、説明の便宜上、一つの防球フェンス１における縦フレーム１１に有する一つの第２高さ調節部材２７の高さ調整方法について説明する。
【００６９】
第２高さ調節部材２７は、図１２に示すように、予め第２分割孔１９ｂにそれぞれ収容保持されているが、この状態から使用する場合には、まず、回り止め部材３３を予め取り外しておき、第２蓋部３４ｃを持って第２高さ調節部材２７全体を第２分割孔１９ｂから上方へ引き抜く。
【００７０】
この状態では、第２高さ調節部材２７は、図１３(ａ)(ｂ)に示すように、基体３４に対してネット支持部３５が折り畳まれた重合状態になっている。
【００７１】
この状態から、ネット支持部３５を、図１４の矢印ａに示すように、基体３４に対してピン３６を中心に一方向へ回転させて立ち上げて伸長させる。
【００７２】
図１４に示すように、ネット支持部３５を使用位置に立ち上げた後は、第２高さ調節部材２７全体を持って基体３４の下端部(第２蓋部３４ｃ)側から第２分割孔１９ｂに上方から挿入する。そうすると、ネット支持部３５の保持部３８も下側の約半分が第２分割孔１９ｂに摺接しつつ挿入される。
【００７３】
この状態から、回り止め部材３３を持って位置決め用ボルト３１を、縦フレーム１１の位置決め孔１１ｃから基体３４の位置決め孔３４ｄに挿入して貫通させ、位置決め孔１１ｃの他方側から位置決め用ボルト３１の飛び出た雄ねじ３１ｂに蝶ナット３２で締結する。
【００７４】
これによって、第２高さ調節部材２７は、位置決め用ボルト３１に対する蝶ナット３２の締め付け及び第２分割孔１９ｂの内周面に対する保持部３８の外周面の当接によって第２分割孔１９ｂの内面に安定かつ強固に支持される。
【００７５】
一方、第２高さ調節部材２７を使用しないときは、図１４の矢印ｂに示すように、ピン３６を介してネット支持部３５を回転させて基体３４に重ね合わされて折り畳まれると、基体３４に対してローラ３７が下側の位置に、第２蓋部３４ｃが上側の位置となる。この状態で、図１３(ａ)(ｂ)に示すように、第２高さ調節部材２７全体を逆さまに反転させる、つまり、ネット支持部３５の保持部３８を下側に基体３４の第２蓋部３４ｃを上側にした状態にする。
【００７６】
この状態で、第２高さ調節部材２７を、保持部３８側から第２分割孔１９ｂ内に挿入すると、保持部３８がガイド機能を発揮して第２分割孔１９ｂの内周面に摺接案内しつつ所定位置まで下降させる。この状態での保持部３８は、第２分割孔１９ｂの内周面に圧接してストッパとして機能して、第２高さ調節部材２７の第２分割孔１９ｂ内での不用意な落下を規制する。
【００７７】
また、この状態で、回り止め部材３３の位置決め用ボルト３１を位置決め孔１１ｃと基体３４の位置決め孔３４ｄを貫通させて、露出したボルト先端部の雄ねじ３１ｂに蝶ナット３２を締結する。これによって、第２高さ調節部材２７は、第２分割孔１９ｂ内で安定かつ確実に保持される。
【００７８】
なお、縦フレーム１２側の第２高さ調節部材２７も第２分割孔２０ｂに対して前述同様な作用によって収容、起立状態させるようになっていることは言うまでもない。
【００７９】
以上のように、本実施形態によれば、防球フェンス１を、ベッドの他にテニス、バドミントンの練習用ネットとしても使用できることから、多用途、多様性に富み種々の競技の練習に使用することが可能になる。
【００８０】
図１９、図２０は回り止め部材３３の他例を示している。
【００８１】
すなわち、縦フレーム１１，１２は、図１９及び図２０に示すように、各上端部１１ｂ、１２ｂの所定位置に係止部である各スリットに替えて丸孔１１ｅ、１２ｅがそれぞれ形成されている。一方、回り止め部材３３は、上下方向に細長い均一幅の金属プレート状の本体３３ａの長手方向の上端部の内側面に、前記各丸孔１１ｅ、１２ｅに縦フレーム１１，１２の径方向外側から挿脱可能な突起部である規制片に替えたピン３３ｃが溶接固定されている。  前記本体３３ａは、先の実施形態と同じ構成であると共に、同じく長手方向の下端部の内側面に前記位置決め用ボルト３１の基端部(頭部)３１ａが溶接などによって一体に結合されている。各ピン３３ｃは、金属材によって丸棒状に形成されて、各外径が丸孔１１ｅ、１２ｅの内径よりも僅かに小さく形成されて摺動しつつ挿入可能になっていると共に、その軸方向の長さが前記仕切り板２１までの距離よりも短く形成されている。
【００８２】
この回り止め部材３３の他例によれば、突起部を、矩形状の規制片に替えてピン３３ｃにしたことから、回り止め部材３３を各縦フレーム１１，１２に組み付けや、取り外す作業時の安全性が高くなる。
【００８３】
本発明は、前記実施形態の構成に限定されるものではなく、例えば、枠部材１０を構成する各縦フレーム１１，１２や各横フレーム１３，１４は、ベッドとしての剛性、強度を確保できれば、各外径をさらに小さくすることも可能であり、また、材質として金属ではなく硬質な合成樹脂材などによって形成することも可能である。これによって、防球フェンス１全体の軽量化が図れると共に、運搬性も向上する。
【００８４】
また、枠部材１０の大きさもベッドとして使用が可能であれば、横方向の長さや縦方向の長さを任意に変更することも可能である。
【００８５】
さらに、第１高さ調節部材２６や第２高さ調節部材２７を、各縦フレーム１１，１２の各上端部１１ｂ、１２ｂの第１、第２分割孔１９ａ、１９ｂ、２０ａ、２０ｂにコンパクトに収容できるので、収容スペースが取られないばかりか運搬性がさらに向上する。
【００８６】
以上説明した実施形態に基づく多機能フェンスとしては、例えば、以下に述べる態様のものが考えられる。
【００８７】
すなわち、本発明における好ましい態様としては、左右両側に配置された一対の縦フレームと、該両縦フレーム間に上下に配置連結された上側及び下側の一対の横フレームと、前記左右の縦フレームの各下端部にそれぞれ配置され、それぞれ前記各縦フレームを中心に前後に分割形成された脚部を有する脚部材と、前記連結された各縦横フレームによって構成された枠部材の内側に張られたシート状あるいはネット状の膜張り部材と、を有し、
前記両縦フレームは、各上端部の各端縁に有する各開口端から内部軸方向に沿った挿通孔がそれぞれ形成され、
前記各縦フレームの各挿通孔に、両縦フレームの上下方向の高さを調節可能な第１高さ調節部材が挿脱可能にそれぞれ設けられ、
前記両縦フレームは、軸方向の所定位置に高さ調節用の位置決め孔が前記各縦フレームの軸直角方向に沿って貫通形成され、
前記各第１高さ調節部材は、上下方向の所定の間隔位置に前記位置決め孔に適宜合致する複数の高さ調節孔が貫通形成され、
前記位置決め孔と予め選択されたいずれか一つの前記高さ調節孔とを合致させた状態で、前記位置決め孔と高さ調節孔に位置決め用ボルトを挿入して、前記両縦フレームから上方へ突出した両第１高さ調節部材の高さを調節可能とした。
【００８８】
この発明の態様によれば、両縦フレームの高さを、各縦フレーム内で高さ調節部材を上下に動かして一つの高さ調節孔を位置決め孔に合わせ、その後、位置決め孔と一つの高さ調節孔に位置決め用ボルトを挿入する。これによって、両縦フレームの高さ位置を、球技などの種類によって容易かつ確実に調節することが可能になる。
【００８９】
さらに好ましくは、前記各縦フレームの各上端部の各挿入孔の内部に、該各挿入孔の中心を径方向から横切る仕切り板を設け、前記各挿入孔を前記各仕切り板によって縦方向からそれぞれ二分割に形成した。
【００９０】
この発明の態様によれば、各挿入孔の内部に仕切り板を設けたことによって各挿入孔を二分割に形成して、各分割孔に脚部の軸部などを挿脱可能にできると共に、前記各仕切り板を脚部の軸部の各分割孔へのガイド（案内）として機能させることができる。
【００９１】
また、仕切り板によって、各縦フレーム及び各横フレーム、特に各挿入孔の開口端付近が補強されて、剛性が向上する。
【００９２】
さらに好ましくは、前記各縦フレームの各上端部の一方の分割孔に前記第１高さ調節部材が挿脱可能に設けられ、他方の分割孔に第２高さ調節部材が挿脱可能に設けられている。
【００９３】
この発明の態様によれば、通常時は、一方の分割孔に、例えばテニス練習用ネットの第１高さ調節部材が収容され、他方の分割孔に、例えばバドミントン練習用ネットの第２高さ調節部材が収容されていることから、多機能フェンスを利用して多種の競技の練習を行うことが可能になる。これによって、多機能フェンスとしての多機能性を向上させることができる。
【００９４】
さらに好ましくは、前記位置決め用ボルトの基端部に、前記ボルトの連れ回りを規制する回り止め部材が設けられており、
前記回り止め部材は、前記縦フレームの周壁の外面に軸方向に沿って配置された細長いプレート状の本体と、該本体の長手方向の一端部内面に設けられて、前記縦フレームの前記一方の各挿通孔の開口端から周壁に形成された係止部に前記周壁の径方向から係入する突起部と、を有し、前記本体の長手方向の他端部内面に、前記位置決め用ボルトの軸方向の一端部が前記突起部と平行に固定されている。
【００９５】
さらに好ましくは、前記第１高さ調節部材と第２高さ調節部材の各上端に、前記一方及び他方の分割孔の開口端の孔縁に当接して前記開口端を閉塞する蓋部がそれぞれ設けられている。
【００９６】
この発明の態様によれば、それぞれ蓋部を設けることによって、各高さ調節部材が分割孔内への落下を防止することができるとか、過度な挿入量を抑制することができる。また、蓋部によって高さ調節部材を分割孔から容易に引き出すことが可能になる。
【００９７】
さらに好ましくは、前記第１高さ調節部材は、縦方向に長い金属プレートによって形成されて、幅方向のほぼ中心位置でかつ長手方向の等間隔位置に、前記位置決め用ボルトが挿入される複数の高さ調節孔が貫通形成されている。
【００９８】
さらに好ましくは、前記第２高さ調節部材は、上下方向に長く形成された基体と、該基体の長手方向の上端部に設けられたピンを介して前記基体に対して折り畳み回転可能に設けられたネット支持部と、を有し、
前記基体に対して前記ネット支持部が折り畳まれた状態で前記他方の分割孔に挿入配置され、使用時には、前記他方の分割孔の一方から取り出した状態で前記ネット支持部を展開して一本状に伸長し、伸長されたネット支持部の軸方向の一端部を前記他方の分割孔の一方に挿入孔に収容固定した
この発明の態様によれば、各縦フレームの上端部に有する他方の分割孔をバドミントン用の第２高さ調節部材の収容用と固定用に用いることが可能になるので、各縦フレームの各分割孔を有効利用することができると共に、コンパクト化が図れる。
【符号の説明】
【００９９】
１…防球フェンス
１１・１２…縦フレーム
１１ａ…下端部
１１ｂ…上端部
１１ｃ・１２ｃ…位置決め孔
１１ｄ・１２ｄ…スリット(係止部)
１１ｅ・１２ｅ…丸孔(係止部)
１３・１４…横フレーム
１５…脚部材
１６，１７…脚部
１６ａ・１７ａ…第１支持足
１６ｂ・１７ｂ…第２支持足
１６ｃ・１７ｃ…第１軸部
１６ｄ・１７ｄ…第２軸部
１８…ネット(膜張り部材)
１９・２０…挿通孔
１９ａ・１９ｂ…第１、第２分割孔
２０ａ・２０ｂ…第１、第２分割孔
２１・２２…仕切り板
２３…キャップ
２４…梁部材
２６…第１高さ調節部材
２６ａ〜２６ｄ…高さ調節孔
２７…第２高さ調節部材
３１…位置決め用ボルト
３３…回り止め部材
３３ａ…本体
３３ｂ…規制片(突起部)
３３ｃ…ピン(突起部)
３４…基体
３５…ネット支持部
３６…ピン
３７…ローラ
３８…保持部
【要約】
【課題】両縦フレームの高さ位置を、球技などの種類によって容易かつ確実に調節することが可能な多機能フェンスを提供する。
【解決手段】各縦フレーム１１，１２の各上端部に有する挿通孔１９、２０が仕切り板２１、２２によって第１、第２分割孔１９ａ〜２０ｂにそれぞれ形成され、第１分割孔１９ａ、２０ａに両縦フレームの上下方向の高さを調節可能な第１高さ調節部材２６が挿脱可能にそれぞれ設けられ、各第１高さ調節部材は、上下方向の所定の間隔位置に各縦フレームの位置決め孔１１ｃ、１２ｃに適宜合致する複数の高さ調節孔２６ａ〜２６ｄが貫通形成され、位置決め孔と予め選択されたいずれか一つの前記高さ調節孔とを合致させた状態で、位置決め孔と高さ調節孔に位置決め用ボルト３１を挿入して、両縦フレームから上方へ突出した両第１高さ調節部材の高さを調節可能とした。
【選択図】図１０【図１】
0006978136.tif 000002
【図２】
0006978136.tif 000003
【図３】
0006978136.tif 000004
【図４】
0006978136.tif 000005
【図５】
0006978136.tif 000006
【図６】
0006978136.tif 000007
【図７】
0006978136.tif 000008
【図８】
0006978136.tif 000009
【図９】
0006978136.tif 000010
【図１０】
0006978136.tif 000011
【図１１】
0006978136.tif 000012
【図１２】
0006978136.tif 000013
【図１３】
0006978136.tif 000014
【図１４】
0006978136.tif 000015
【図１５】
0006978136.tif 000016
【図１６】
0006978136.tif 000017
【図１７】
0006978136.tif 000018
【図１８】
0006978136.tif 000019
【図１９】
0006978136.tif 000020
【図２０】
0006978136.tif 000021